(57)【要約】【課題】簡単に、ユーザが所持するプリンタで、色再現を実現したいプリンタの色を再現できる画像処理装置。【解決手段】データは、シミュレーションプロファイルＢｔｏＡ２４によりシミュレーションされ、マシンＡの色空間データ（ｃ０ｍ０ｙ０ｋ０）に変換される。一方、シミュレーションプロファイルＢｔｏＡ２４は、プロファイル解析２６に出力され、解析され、当該解析により、マシンＡの色再現方法の特徴が抽出される。その結果、ディスティネーションプロファイル選択２８は、シミュレーションに最適な、すなわち最も色再現の近いプロファイル及びプリンタを選択する。データは、選択されたディスティネーションプロファイルＤＢｔｏＡ１（プリンタ１４Ｄに対応）により、データ（ｃ１ｍ１ｙ１ｋ１）に変換され、プリンタ１４Ｄに出力され、プリンタ１４Ｄにより、サンプル出力が行なわれる。【選択図】図２
2007329841.tif 000002
【特許請求の範囲】
【請求項１】
入力された画像データに基づいて色変換処理を実行して画像を出力デバイスへ出力する際に、既存の色変換プロファイル、或いは複数種の色変換プロファイルの組合せによって設定される既存の画質モードＬＵＴを用いて色変換処理を行うように指示する画像処理システムであって、
所望の出力画像の基となる出力デバイスの基準色変換プロファイルを解析する解析手段と、
前記解析手段の解析結果に基づいて、複数の前記既存の色変換プロファイル、或いは既存の画質モードＬＵＴの中から、前記基準色変換プロファイルに最も近似する色変換プロファイル又は画質モードＬＵＴを選択する選択手段とを有し、
前記選択手段で選択された色変換プロファイル又は画質モードＬＵＴに基づいて、入力画像データの色変換処理を実行し、画像を出力することを特徴とする画像処理システム。
【請求項２】
前記色変換処理の際、前記基準色変換プロファイルを併用することを特徴とする請求項１記載の画像処理システム。
【請求項３】
前記選択手段により選択される複数の前記色変換プロファイル又は画質モードＬＵＴが、複数の出力デバイスに分散して対応されており、当該選択手段が、出力デバイスの選択を併せて実行することを特徴とする請求項１又は請求項２記載の画像処理システム。
【請求項４】
前記解析手段における解析が、低彩度部の再現性、出力デバイスの主要色の再現性、ガミュート圧縮の方針の少なくとも１つによって実行されることを特徴とする請求項１乃至請求項３の何れか１項記載の画像処理システム。
【請求項５】
前記出力デバイスの主要色は、ＲＧＢＣＭＹＫであることを特徴とする請求項４記載の画像処理システム。  
【請求項６】
入力された画像データに基づいて色変換処理を実行する際に、既存の色変換プロファイル、或いは複数種の色変換プロファイルの組合せによって設定される既存の画質モードＬＵＴを用いて色変換処理を行うように指示する画像処理装置であって、
所望の出力画像の基となる出力デバイスの基準色変換プロファイルを解析する解析手段と、
前記解析手段の解析結果に基づいて、複数の前記既存の色変換プロファイル、或いは既存の画質モードＬＵＴの中から、前記基準色変換プロファイルに最も近似する色変換プロファイル又は画質モードＬＵＴを選択する選択手段とを有し、
前記選択手段で選択された色変換プロファイル又は画質モードＬＵＴに基づいて、入力画像データの色変換処理を実行し、画像を出力することを特徴とする画像処理装置。
【請求項７】
前記色変換処理の際、前記基準色変換プロファイルを併用することを特徴とする請求項６記載の画像処理装置。
【請求項８】
前記解析手段における解析が、低彩度部の再現性、主要色の再現性、ガミュート圧縮の方針の少なくとも１つによって実行されることを特徴とする請求項６又は請求項７記載の画像処理装置。
【請求項９】
前記主要色は、ＲＧＢＣＭＹＫであることを特徴とする請求項８記載の画像処理装置。
【請求項１０】
入力された画像データに基づいて色変換処理を実行して画像を出力デバイスへ出力する際に、既存の色変換プロファイル、或いは複数種の色変換プロファイルの組合せによって設定される既存の画質モードＬＵＴを用いて色変換処理を行うように指示する画像処理方法であって、
所望の出力画像の基となる出力デバイスの基準色変換プロファイルを解析し、
前記解析手段の解析結果に基づいて、複数の前記既存の色変換プロファイル、或いは既存の画質モードＬＵＴの中から、前記基準色変換プロファイルに最も近似する色変換プロファイル又は画質モードＬＵＴを選択し、
選択された色変換プロファイル又は画質モードＬＵＴに基づいて、入力画像データの色変換処理を実行し、画像を出力することを特徴とする画像処理方法。
【発明の詳細な説明】
【技術分野】
【０００１】
本発明は、入力された画像データに基づいて色変換処理を実行する際に、既存の色変換プロファイル、或いは複数種の色変換プロファイルの組合せによって設定される既存の画質モードＬＵＴを用いて色変換処理を行うように指示する画像処理システム、画像処理装置、及び画像処理方法に関する。
【背景技術】
【０００２】
従来、出力デバイスとしてのプリンタは、機種によってそれぞれ異なる色変換プロファイルを持っており、同じ画像データを使用し、画像出力を行なう場合は、各プリンタで異なる色変換処理が行なわれている。
【０００３】
また、ユーザが所持するプリンタで、所望の色再現、即ち所望の画像を出力するプリンタと同様の画像出力をする場合には、所持するプリンタの色変換プロファイル及びインテント（Ｐ（Ｐｅｒｃｅｐｔｕａｌ）／階調性、Ｓ（Ｓａｔｕｒａｔｉｏｎ）彩度、Ｃ（Ｃｏｌｏｒｉｍｅｔｒｉｃ）／測色値、で構成される３種の特性の何れか、あるいはバランス）が指定されていた。
【０００４】
しかし、複数ある色変換プロファイル及びインテントの中から最適なものを選択することは困難であり、当該選択は熟練のオペレータにより行われてきた。このため、一般のユーザは、所持するプリンタで簡単に所望の色再現をすることができない場合があった。
【０００５】
これに対し、色変換プロファイルの修正、或いは色変換後の画像データの補正により、自動的に色変換後の調整を行い、色再現を行うことが提案されている。例えば特許文献１には、色変換実行後の画像データの色を、色変換前の画像データに基づいて調整する技術が開示されている。これにより、色変換後の画像データに不要な色の混入がある場合は調整され、色再現を行うことができる。しかし、当該技術はデバイスの主要色（ＲＧＢＣＭＹＫ等）の単色再現にのみ対応するものである。
【０００６】
一方、インテントの切り替えにより、例えば色再現したいプリンタと所持するプリンタ等の異なるプリンタからの出力画像の色差を小さくすることが提案されている。例えば特許文献２には、異なるプリンタの各々の色変換プロファイルのガミュート領域の差分に基づきインテントの切り替えが行われる技術が開示されている。当該技術においては、前記差分が所定の閾値よりも大きいと判断されればインテントは’Ｐ’が重視され、ガミュート圧縮が行われる。それ以外の場合には測色値の相対的な差を小さくする処理が実行される。
【特許文献１】特開２００４−００７３６７公報
【特許文献２】特開２００２−１１８７５９公報
【発明の開示】
【発明が解決しようとする課題】
【０００７】
しかしながら、特許文献２に開示される技術では、各プリンタの色変換プロファイルのガミュート領域の差分だけでインテントが切り替えられている。このため、各出力画像の色差は小さくできるが、例えば、色再現したいプリンタからの出力はＰＫ（Ｃ（シアン）、Ｍ（マゼンダ）、Ｙ、Ｋ（黒）の重ね合わせによる黒）であるのに、所持するプリンタからの出力は単色の黒（単Ｋ）になってしまう等の、再現した出力画像の印象が基の出力画像の印象と異なってしまうという問題が起こる。
【０００８】
本発明は、上記事実を考慮し、所望の画像をユーザが簡単に再現できる画像処理システム、画像処理装置、及び画像処理方法を得ることを目的とする。
【課題を解決するための手段】
【０００９】
第１の発明は、入力された画像データに基づいて色変換処理を実行して画像を出力デバイスへ出力する際に、既存の色変換プロファイル、或いは複数種の色変換プロファイルの組合せによって設定される既存の画質モードＬＵＴを用いて色変換処理を行うように指示する画像処理システムであって、所望の出力画像の基となる出力デバイスの基準色変換プロファイルを解析する解析手段と、前記解析手段の解析結果に基づいて、複数の前記既存の色変換プロファイル、或いは既存の画質モードＬＵＴの中から、前記基準色変換プロファイルに最も近似する色変換プロファイル又は画質モードＬＵＴを選択する選択手段とを有し、前記選択手段で選択された色変換プロファイル又は画質モードＬＵＴに基づいて、入力画像データの色変換処理を実行し、画像を出力することを特徴とする。
【００１０】
第２の発明は、入力された画像データに基づいて色変換処理を実行する際に、既存の色変換プロファイル、或いは複数種の色変換プロファイルの組合せによって設定される既存の画質モードＬＵＴを用いて色変換処理を行うように指示する画像処理装置であって、所望の出力画像の基となる出力デバイスの基準色変換プロファイルを解析する解析手段と、前記解析手段の解析結果に基づいて、複数の前記既存の色変換プロファイル、或いは既存の画質モードＬＵＴの中から、前記基準色変換プロファイルに最も近似する色変換プロファイル又は画質モードＬＵＴを選択する選択手段とを有し、前記選択手段で選択された色変換プロファイル又は画質モードＬＵＴに基づいて、入力画像データの色変換処理を実行し、画像を出力することを特徴とする。
【００１１】
第１の発明及び第２の発明によれば、解析手段が、所望の出力画像の基となる出力デバイスの基準色変換プロファイルを解析し、選択手段が、解析結果に基づいて、複数の既存の色変換プロファイル、或いは既存の画質モードＬＵＴの中から、前記基準色変換プロファイルに最も近似する色変換プロファイル又は画質モードＬＵＴを選択する。そして、この選択により選択された色変換プロファイル又は画質モードＬＵＴに基づいて、入力画像データの色変換処理を実行し、画像を出力する。
【００１２】
従って、第１の発明及び第２の発明は、所望の画像に最も近い状態の画像となるような色変換プロファイル又は画質モードＬＵＴを自動的に選択し、画像を出力することができる。これにより、オペレータの判断等の人の操作がなくなり、操作する人の熟練度の違いによる出力画像の差を解消することができる。
【００１３】
また、第１の発明及び第２の発明において、前記色変換処理の際、前記基準色変換プロファイルを併用することを特徴とする。
【００１４】
これにより、所望の出力画像の基となるデバイスの色変換プロファイルによる色変換処理と選択手段で選択された色変換プロファイル又は画質モードＬＵＴによる色変換処理とを同一の系で行なうことになり、色変換処理の誤差を軽減することができる。
【００１５】
さらに、第１の発明において、前記選択手段により選択される複数の前記色変換プロファイル又は画質モードＬＵＴが、複数の出力デバイスに分散して対応されており、当該選択手段が、出力デバイスの選択を併せて実行することを特徴とする。
【００１６】
即ち、例えば、出力デバイスとして複数台のプリンタがあるとき、それぞれのプリンタには、異なる色変換プロファイル等が搭載されている。これらの中から最適な色変換プロファイルを選択するということは、プリンタの選択が必須となる。
【００１７】
また、第１の発明及び第２の発明において、前記解析手段における解析が、低彩度部の再現性、ＲＧＢＹＭＣＫ等の主要色の再現性、ガミュート圧縮の方針の少なくとも１つによって実行されることを特徴とする。
【００１８】
第１の発明及び第２の発明によれば、解析手段による解析は、低彩度部の再現性、ＲＧＢＹＭＣＫ等の主要色の再現性、ガミュート圧縮の方針の少なくとも１つによって実行する。例えば、低彩度部、即ちＣＭＹＫで言えばＫの量によって、色再現性を判断する。また、ＲＧＢやＹＭＣＫの主要色での色の再現性を判断する。さらに、ガミュート圧縮方針によって色再現性を判断する。
【００１９】
第３の発明は、入力された画像データに基づいて色変換処理を実行して画像を出力デバイスへ出力する際に、既存の色変換プロファイル、或いは複数種の色変換プロファイルの組合せによって設定される既存の画質モードＬＵＴを用いて色変換処理を行うように指示する画像処理方法であって、所望の出力画像の基となる出力デバイスの基準色変換プロファイルを解析し、前記解析手段の解析結果に基づいて、複数の前記既存の色変換プロファイル、或いは既存の画質モードＬＵＴの中から、前記基準色変換プロファイルに最も近似する色変換プロファイル又は画質モードＬＵＴを選択し、選択された色変換プロファイル又は画質モードＬＵＴに基づいて、入力画像データの色変換処理を実行し、画像を出力することを特徴とする。
【００２０】
従って、第３の発明によれば、第１の発明及び第２の発明と同様に作用するので、第１の発明及び第２の発明と同様に、所望の画像に最も近い状態の画像となるような色変換プロファイル又は画質モードＬＵＴを自動的に選択し、画像を出力することができる。これにより、オペレータの判断等の人の操作がなくなり、操作する人の熟練度の違いによる出力画像の差を解消することができる。
【発明の効果】
【００２１】
以上説明したように、本発明は、所望の画像をユーザが簡単に再現できる画像処理システム、画像処理装置、及び画像処理方法を得るという優れた効果を有する。
【発明を実施するための最良の形態】
【００２２】
以下、図面を参照しつつ本発明の実施の形態について詳細に説明する。
【００２３】
（第１の実施の形態）
図１には、クライアントＰＣ１２及び出力デバイスであり、印刷処理を行う３台のプリンタ１４Ｂ、１４Ｃ、１４Ｄ（以下、総称する場合には、「プリンタ１４」という）を含む第１の実施の形態に係るシステム１０の全体概略図を示す。
【００２４】
クライアントＰＣ１２は、プリンタ１４の印刷処理の内容を設定するための後述するユーザーインターフェース（Ｕ／Ｉ）４０等を表示するディスプレイ１３を備えている。
【００２５】
プリンタ１４Ｂ、１４Ｃ、１４Ｄは、それぞれ異なる色変換プロファイルを備えており、クライアントＰＣ１２は、シミュレーションを行ない、色再現に最適なプリンタ１４を選択するようになっている。
【００２６】
次に、第１の実施の形態に係るシステム１０における機能的なつながりを、図２のブロック図を用いて示す。なお、このブロック図は、ハード構成を限定するものではない。
【００２７】
ソースプロファイル（ＡｔｏＢ）２０は、デバイス依存の入力データ（ＲＧＢ／ＣＭＹＫ等）をデバイス非依存の色データ（Ｌｉｎａｉｎｂｉｎ）に変換する色変換プロファイルである。ソースプロファイル（ＡｔｏＢ）２０は、ガミュート圧縮部２２と接続しており、ガミュート圧縮部２２にはソースプロファイル（ＡｔｏＢ）２０での変換後のデータ（Ｌｉｎａｉｎｂｉｎ）が入力されるようになっている。
【００２８】
なお、前記「ＡｔｏＢ」や以下に示す「ＢｔｏＡ」における「Ａ」とはＲＧＢやＣＭＹＫ等で表現されるデバイス依存の表色系、「Ｂ」とはＬａｂ（Ｌ*ａ*ｂ*）やＸＹＺ等で表現されるデバイス非依存の表色系を示す。
【００２９】
ガミュート圧縮部２２は、設定されたインテントに基づいてデータの色空間圧縮を行なう機構である。ガミュート圧縮部２２は、シミュレーションプロファイル（ＢｔｏＡ）２４と接続しており、シミュレーションプロファイル（ＢｔｏＡ）２４に圧縮後のデータを出力するようになっている。
【００３０】
ここで、シミュレーションプロファイル（ＢｔｏＡ）２４は、前記プリンタ１４が持っていない色変換プロファイルであり、且つユーザーが所望する色再現が行える基準色変換プロファイルである。以下、このような基準色変換プロファイルを持つプリンタを「マシンＡ」（図示省略）という。
【００３１】
即ち、シミュレーションプロファイル（ＢｔｏＡ）２４はガミュート圧縮部２２で圧縮処理されたデータ（Ｌａｂ）をマシンＡが出力する色データに変換する基準色変換プロファイルであり、ここではＩＣＣプロファイルが用いられる。このシミュレーションプロファイル（ＢｔｏＡ）２４によりデータ（Ｌａｂ）はデータ（ｃ０ｍ０ｙ０ｋ０）に変換される。シミュレーションプロファイル（ＢｔｏＡ）２４は、プロファイル解析部２６及びシミュレーションプロファイル（ＡｔｏＢ）３２と接続している。プロファイル解析部２６ではシミュレーションプロファイル（ＢｔｏＡ）２４の色変換処理の状態を認識するようになっている。一方、シミュレーションプロファイル（ＡｔｏＢ）３２ではシミュレーションしたデータ（ｃ０ｍ０ｙ０ｋ０）を元データ（Ｌａｂ）に戻す処理を行なう。このシミュレーションプロファイル（ＡｔｏＢ）３２の出力データ（Ｌａｂ）は前記ガミュート圧縮部２２の出力データと同一である。シミュレーションプロファイル（ＡｔｏＢ）３２はガミュート圧縮部３４に接続され、このガミュート圧縮部３４にはシミュレーションプロファイル（ＡｔｏＢ）３２によってガミュート圧縮部２２の出力と同一のデータ（Ｌａｂ）が入力され、再度ガミュート圧縮が実行されるようになっている。
【００３２】
このガミュート圧縮部３４における、ガミュート圧縮処理は、後述するディスティネーションプロファイル選択部２８によって特定されたプリンタ（１４Ｂ、１４Ｃ、１４Ｄの何れか）に設定される圧縮処理であり、プロファイル群３０から選択される色変換プロファイルに依存する。
【００３３】
ガミュート圧縮部３４におけるガミュート圧縮処理により、入力データ（Ｌａｂ）は出力データ（Ｌ’ａ’ｂ’）となってプロファイル群３０へ入力されるようになっている。
【００３４】
プロファイル解析部２６は、シミュレーションプロファイル（ＢｔｏＡ）２４による色変換処理の状態を認識することで、色変換の特徴を抽出する。プロファイル解析部２６は、ディスティネーションプロファイル選択部２８と接続しており、ディスティネーションプロファイル（Destination Profile）選択部２８に解析結果、即ち色変換の特徴を出力するようになっている。
【００３５】
ディスティネーションプロファイル選択部２８は、プリンタ１４Ｂ、１４Ｃ、１４Ｄのそれぞれが持つ色変換プロファイルの集合体であるプロファイル群３０と接続している。プロファイル群３０には、プリンタ１４Ｂ、１４Ｃ、１４Ｄ毎に設定された複数の色変換プロファイルが格納されている。ディスティネーションプロファイル選択部２８では、このプロファイル群３０に格納されている色変換プロファイルの中から、プロファイル解析部２６による解析結果に基づき、前述した基準色変換プロファイルに近似する色変換プロファイルを検索する。この検索により、プリンタ１４の何れかが特定でき、且つ適用される色変換プロファイルが確定することになる。即ち、ディスティネーションプロファイル選択部２８は本発明の選択手段としての役目を有する。
【００３６】
プロファイル群３０では、選択（確定）された色変換プロファイルに基づいて、入力データ（Ｌ’ａ’ｂ’）が色変換処理され、出力データ（ｃ１ｍ１ｙ１ｋ１）として、確定したプリンタ（１４Ｂ、１４Ｃ、１４Ｄの何れか）へ出力される。プリンタ（１４Ｂ、１４Ｃ１４Ｄの何れか）では、出力データ（ｃ１ｍ１ｙ１ｋ１）の画像データ（ｃ１ｍ１ｙ１ｋ１）が入力されると、この画像データに基づいて、所定の記録用紙に画像が形成される。
【００３７】
図３は、Ｕ／Ｉ（ユーザーインターフェース）４０の例を示している。
【００３８】
図３（Ａ）は、検索（印刷）４４押下前の状態である。上段に表示される「Destination Profile」は、シミュレーションしたいマシン情報が示され、Ｐｒｏｆｉｌｅ名４２Ａ、Ｉｎｔｅｎｔ４２Ｂが示される表示領域を備える。下段に表示される「Target Machine」は、実際に出力を行なうプリンタ情報が示され、Ｐｒｉｎｔｅｒ名４６Ａ、Ｐｒｏｆｉｌｅ名４６Ｂ、及びＩｎｔｅｎｔ４６Ｃが示される表示領域を備える。前記検索（印刷）４４の押下前にはこの表示領域には「Auto」と表示される。
【００３９】
検索（印刷）４４が押下されると、図３（Ｂ）に示されるように、下段のＰｒｉｎｔｅｒ名４６Ａ、Ｐｒｏｆｉｌｅ名４６Ｂ、及びＩｎｔｅｎｔ４６Ｃの表示領域には具体的な情報が表示される。当該ケースでは、Ｐｒｉｎｔｅｒ名４６Ａの表示領域には「Ｐｒｉｎｔｅｒ  Ｂ」と表示され、Ｐｒｏｆｉｌｅ名４６Ｂの表示領域には「Ｐｒｉｎｔｅｒ  Ｂ光沢紙」と表示され、Ｉｎｔｅｎｔ４６Ｃの表示領域には「Saturation」と表示される。
【００４０】
なお、検索（印刷）４４が押下されてもＵ／Ｉ  ４０の表示は変らず、内部で設定される機構でもよい。
【００４１】
また、Ｕ／Ｉ  ４０は、図示しないシステム１０に接続される管理マシンに表示されるものであってもよいし、プリンタ１４に表示されるものであってもよい。
【００４２】
以下に、第１の実施の形態の作用を説明する。
【００４３】
図２に示される如く、まず、入力データ（ｃｉｎｍｉｎｙｉｎｋｉｎ又はＲｉｎＧｉｎＢｉｎ）が、ソースプロファイル（ＡｔｏＢ）２０に入力される。入力データ（ｃｉｎｍｉｎｙｉｎｋｉｎ又はＲｉｎＧｉｎＢｉｎ）は、ソースプロファイル（ＡｔｏＢ）２０に処理され、デバイス非依存の色データ（Ｌｉｎａｉｎｂｉｎ）に変換される。
【００４４】
変換されたデータ（Ｌｉｎａｉｎｂｉｎ）は、ガミュート圧縮部２２により、圧縮データ（Ｌａｂ）に圧縮される。
【００４５】
データ（Ｌａｂ）は、シミュレーションプロファイル（ＢｔｏＡ）２４によりシミュレーションされ、マシンＡが出力する色データ（ｃ０ｍ０ｙ０ｋ０）に変換される。
【００４６】
本実施の形態では、マシンＡが当該データ（ｃ０ｍ０ｙ０ｋ０）を処理し、出力するのと同様の色再現を、プリンタ１４Ｂ、１４Ｃ、１４Ｄの何れかで行なうことを目的としている。
【００４７】
変換された色データ（ｃ０ｍ０ｙ０ｋ０）は、シミュレーションプロファイル（ＡｔｏＢ）３２により、圧縮データ（Ｌａｂ）に再変換される。即ち、ガミュート圧縮部２２の出力に戻される。
【００４８】
一方、プロファイル解析部２６は、シミュレーションプロファイル（ＢｔｏＡ）２４を解析し、マシンＡによる出力の特徴を抽出する。当該解析結果により、ディスティネーションプロファイル選択部２８は、プロファイル群３０の中から、シミュレーションに最適な、即ち最も忠実な色再現が可能な色変換プロファイルを特定する。この結果、一義的にプリンタも特定される。
【００４９】
前記シミュレーションプロファイル（ＡｔｏＢ）３２によって、ガミュート圧縮部２２の出力に戻されたデータ（Ｌａｂ）は、プリンタ（１４Ｂ、１４Ｃ、１４Ｄの何れか）の確定により定まるガミュート圧縮部３４によりガミュート圧縮処理が実行される。
【００５０】
ガミュート圧縮されたデータ（Ｌ’ａ’ｂ’）は、前記ディスティネーションプロファイル選択部２８により選択（特定）されたディスティネーションプロファイル（例えばプリンタ１４Ｄが選択された場合、ディスティネーションプロファイルＤ）により、出力データ（ｃ１ｍ１ｙ１ｋ１）に変換される。
【００５１】
データ（ｃ１ｍ１ｙ１ｋ１）は、プリンタ（例えば１４Ｄ）に出力され、プリンタ（例えば１４Ｄ）からは、マシンＡから出力される色再現とほぼ同等の色再現の下での出力が行われる。
【００５２】
図４は、図２に示すプロファイル解析部２６及びディスティネーションプロファイル選択部２８における処理の例を示している。なお、以下に示す色変換プロファイルの種類（ＢｔｏＡ２等）は、前述したプリンタに格納されている色変換プロファイルの種類と必ずしも一致するものではない。
【００５３】
第１の例は、低彩度（ａ＊，ｂ＊＝０付近）のマッチングである。当該マッチングでは、グレー部分の再現性によって解析が行なわれる。
【００５４】
マッチングの結果が「単Ｋ中心」であった場合は、ＢｔｏＡ２（彩度重視の’Saturation’）が選択され、「ＰＫ中心」であった場合は、ＢｔｏＡ１（測色値重視の’Relative’）が選択され、「ＵＣＲ５０％ベース」であった場合は、ＢｔｏＡ０（階調重視の’Perceptual’）が選択される。
【００５５】
第２の例では、主要色（ＲＧＢ又はＣＭＹＫ）のマッチングによって解析が行われる。
【００５６】
マッチングの結果が「彩度重視」であった場合は、ＢｔｏＡ２（彩度重視の’Saturation’）が選択され、「色差最小」であった場合は、ＢｔｏＡ１（測色値重視の’Relative’）が選択され、「階調重視」であった場合は、ＢｔｏＡ０（階調重視の’Perceptual’）が選択される。
【００５７】
第３の例では、入力データの画像の色空間圧縮を行なうガミュート圧縮の方針、即ちグリッド間隔によって判断が行われる。
【００５８】
グリッド間隔とインテントの関係を下記の表１に示す。
【００５９】
【表１】
2007329841.tif 000003
【００６０】
方針が「Saturation（彩度重視）」であった場合は、ＢｔｏＡ２（彩度重視の’Saturation’）が選択され、「色差最小」であった場合は、ＢｔｏＡ１（測色値重視の’Relative’）が選択され、「perceptual（線形圧縮）」であった場合は、ＢｔｏＡ０（階調重視の’Perceptual’）が選択される。
【００６１】
なお、第１乃至第３の何れの解析例により色変換プロファイルが選択されるかは、ユーザの職種や趣向を基準に決定される。
【００６２】
以上説明したように、第１の実施の形態では、所望の画像に最も近い状態の画像となるような色変換プロファイルを自動的に選択し、色再現を行うことができる。これにより、オペレータの判断等の人の操作がなくなり、操作する人の熟練度の違いによる色再現の差を解消することができる。
【００６３】
また、所望の出力画像の基となるマシンの色変換プロファイルによる色変換処理と選択された色変換プロファイルによる色変換処理とを同一の系で行なうことで、色変換処理の誤差を軽減することができる。
【００６４】
なお、クライアントＰＣ１２に備わるプロファイル解析、ディスティネーションプロファイル選択、及び色変換の各処理を行なう機構が、プリンタ１４に備わっている構成であってもよい。
【００６５】
（第２の実施の形態）
以下に、本発明の第２の実施の形態について説明する。なお、この第２の実施の形態において、前記第１の実施の形態と同一構成部分については、同一の符号を付して、その構成の説明を省略する。
【００６６】
第２の実施の形態の特徴は、シミュレーションプロファイルを解析をする系と、入力データの色変換処理を実行し、色再現をする系とが異なる点にある。
【００６７】
第２の実施の形態に係るシステム１０における機能的なつながりを、図５のブロック図を用いて示す。
【００６８】
入力データ（ｃｉｎｍｉｎｙｉｎｋｉｎ又はＲｉｎＧｉｎＢｉｎ）をデバイス非依存の色データ（Ｌｉｎａｉｎｂｉｎ）に変換するソースプロファイル（ＡｔｏＢ）１００は、ガミュート圧縮部１０２と接続している。
【００６９】
ガミュート圧縮部１０２はシミュレーションプロファイル（ＢｔｏＡ）１０４と接続していおり、データ（Ｌｉｎａｉｎｂｉｎ）の色空間圧縮を行い、シミュレーションプロファイル（ＢｔｏＡ）１０４に圧縮後のデータ（Ｌａｂ）を出力する。
【００７０】
前記ソースプロファイル（ＡｔｏＢ）１００及びシミュレーションプロファイル（ＢｔｏＡ）１０４は、プロファイル解析部１０６と接続しており、プロファイル解析部１０６ではソースプロファイル（ＡｔｏＢ）１００の色変換処理の状態を認識するようになっている。
【００７１】
プロファイル解析部１０６は、ソースプロファイル（ＡｔｏＢ）１００及びシミュレーションプロファイル（ＢｔｏＡ）１０４による色変換処理の状態を認識することで、色変換の特徴を抽出する。プロファイル解析部１０６はディスティネーションプロファイル選択部１０８と接続しており、解析結果、即ち色変換の特徴を出力するようになっている。
【００７２】
ディスティネーションプロファイル選択部１０８は、複数の画質モードを格納するディスティネーション（ＤＬＵＴ）１１０と接続している。
【００７３】
ここで、画質モードは、図５（Ｂ）に示される如く、ソースプロファイル（ＡｔｏＢ）１１２、ガミュート圧縮部１１４、及びプリンタ（１４Ｂ、１４Ｃ、１４Ｄの何れか）の色変換プロファイルであるディスティネーションプロファイル（ＢｔｏＡ）１１６が合成されたＬＵＴである。
【００７４】
即ち、画質モードは、図５（Ｃ）に示される如く、入力データ（ｃｉｎｍｉｎｙｉｎｋｉｎ又はＲｉｎＧｉｎＢｉｎ）からデバイス非依存の色データ（Ｌｉｎａｉｎｂｉｎ）への変換、デバイス非依存の色データ（Ｌｉｎａｉｎｂｉｎ）の圧縮（データ（Ｌａｂ）に変換）、及びデータ（Ｌａｂ）からプリンタ（１４Ｂ、１４Ｃ、１４Ｄの何れか）に出力する出力データ（ｃ０ｍ０ｙ０ｋ０）への変換、を行なう合成ＬＵＴである。
【００７５】
ディスティネーション（ＤＬＵＴ）１１０に格納される複数の画質モードは、プリンタ１４Ｂ、１４Ｃ、１４Ｄ毎に設定されている。ディスティネーションプロファイル選択部１０８では、このディスティネーション（ＤＬＵＴ）１１０に格納されている画質モードの中から、プロファイル解析部１０６による解析結果に基づき、前記マシンＡの出力する色再現が可能な画質モードがある場合は、その画質モードを検索し、色再現が可能な画質モードがない場合は、最も再現色が近似する画質モードを検索するようになっている。この検索により、プリンタ１４の何れかが特定でき、且つ適用される画質モードが確定することになる。
【００７６】
なお、画質モードに含まれる色変換プロファイルの特定部分が似ている場合には、特定部分が似ている色変換プロファイル同士を合成して新規に画質モードを作成してもよい。
【００７７】
一方、ディスティネーション（ＤＬＵＴ）１１０には、入力データ（ｃｉｎｍｉｎｙｉｎｋｉｎ又はＲｉｎＧｉｎＢｉｎ）が直接入力される。
【００７８】
また、ディスティネーション（ＤＬＵＴ）１１０は、プリンタ１４と接続している。入力されたデータ（ｃｉｎｍｉｎｙｉｎｋｉｎ又はＲｉｎＧｉｎＢｉｎ）は、ディスティネーションプロファイル選択部１０８に選択された画質モードにより色変換処理され、出力データ（ｃ０ｍ０ｙ０ｋ０）として、確定されたプリンタ（１４Ｂ、１４Ｃ、１４Ｄの何れか）へ出力される。
【００７９】
図６は、第２の実施の形態のユーザーインターフェース（Ｕ／Ｉ）１２０の例を示している。
【００８０】
図６（Ａ）は、検索（印刷）１２２押下前の状態である。上段に表示される「Destination Profile」は、シミュレーションしたいマシン情報が示され、Ｐｒｏｆｉｌｅ名１２０ＡとＩｎｔｅｎｔ１２０Ｂが示される表示領域を備える。下段に表示される「Target Machine」は、実際に出力を行なうプリンタ情報が示され、Ｐｒｉｎｔｅｒ名１２４及びＲＧＢ入力１２６が示される表示領域を備える。検索（印刷）１２２の押下前にはこの表示領域には「Ａｕｔｏ」と表示される。
【００８１】
検索（印刷）１２２が押下されると、図６（Ｂ）に示されるように、Ｐｒｉｎｔｅｒ名１２４及びＲＧＢ入力１２６が表示され、当該ケースでは、Ｐｒｉｎｔｅｒ名１２４の表示領域には「Ｐｒｉｎｔｅｒ  Ｅ」が表示され、ＲＧＢ入力１２６の表示領域には「写真」が表示される。
【００８２】
なお、検索（印刷）１２２が押下されてもＵ／Ｉ  １２０の表示は変らず、内部で設定される機構でもよい。
【００８３】
次に、第２の実施の形態の作用を説明する。
【００８４】
まず、画質モードが選択されるまでの流れを説明する。
【００８５】
図５（Ａ）に示す如く、まず、入力データ（ｃｉｎｍｉｎｙｉｎｋｉｎ又はＲｉｎＧｉｎＢｉｎ）が、ソースプロファイル（ＡｔｏＢ）１００に入力される。入力データ（ｃｉｎｍｉｎｙｉｎｋｉｎ又はＲｉｎＧｉｎＢｉｎ）は、ソースプロファイル（ＡｔｏＢ）１００に処理され、デバイス非依存の色データ（Ｌｉｎａｉｎｂｉｎ）に変換される。変換されたデータ（Ｌｉｎａｉｎｂｉｎ）は、ガミュート圧縮部１０２により、データ（Ｌａｂ）に圧縮される。圧縮されたデータ（Ｌａｂ）は、シミュレーションプロファイル（ＢｔｏＡ）１０４によりシミュレーションされる。
【００８６】
一方、プロファイル解析部１０６は、ソースプロファイル（ＡｔｏＢ）１００及びシミュレーションプロファイル（ＢｔｏＡ）１０４を解析し、マシンＡによる出力の特徴を抽出する。当該解析結果により、ディスティネーションプロファイル選択部１０８は、ディスティネーション（ＤＬＵＴ）１１０が格納する既存の画質モードの中で色再現が可能なものがある場合は、その画質モードを選択して出力する。既存の画質モードの中で色再現が可能なものがない場合は、最も再現色が近似する画質モードを選択して出力する。
【００８７】
次に、入力されるデータが変換される流れを説明する。
【００８８】
図５（Ａ）に示す如く、入力データ（ｃｉｎｍｉｎｙｉｎｋｉｎ又はＲｉｎＧｉｎＢｉｎ）は、ディスティネーション（ＤＬＵＴ）１１０に直接入力する。入力データ（ｃｉｎｍｉｎｙｉｎｋｉｎ又はＲｉｎＧｉｎＢｉｎ）は、ディスティネーションプロファイル選択部１０８に選択された画質モードにより変換される。当該画質モードによる変換により、データ（ｃｉｎｍｉｎｙｉｎｋｉｎ又はＲｉｎＧｉｎＢｉｎ）は出力データ（ｃ０ｍ０ｙ０ｋ０）に変換する。データ（ｃ０ｍ０ｙ０ｋ０）は、選択された画質モードに特定されるプリンタ（例えば１４Ｂ）に出力される。
【００８９】
データ（ｃ０ｍ０ｙ０ｋ０）は、プリンタ（例えば１４Ｂ）に出力され、プリンタ（例えば１４Ｂ）からは、マシンＡから出力される色再現とほぼ同等の色再現の下での出力が行われる。
【００９０】
図７は、図５（Ａ）に示す、プロファイル解析部１０６及びディスティネーションプロファイル選択部１０８における処理の例を示している。
【００９１】
当該例では、プロファイル解析部１０６での解析は、低彩度（ａ＊，ｂ＊＝０付近）のマッチング、基本色（主要色（ＲＧＢ、ＣＭＹＫ））のマッチング、及びガミュート圧縮の方針の３つの総合判断によって解析が行われる。
【００９２】
下記表２に、各判断と総合判断との関係の方針例を示す。
【００９３】
【表２】
2007329841.tif 000004
【００９４】
結果が「標準」と判断された場合は、標準向けプロファイルが選択され、「写真」と判断された場合は、写真向けプロファイルが選択され、「グラフィック」と判断された場合は、グラフィック向けプロファイルが選択される。このような対応関係は、予め作っておいてもよいし、既存のプロファイルから動的に作成するのでもよい。
【００９５】
このように、第２の実施の形態では、シミュレーションを行なうことなく、予め用意された画質モードを使用して色変換処理を実行し、色再現をすることができる。
【００９６】
なお、クライアントＰＣ１２に備わるプロファイル解析、画質モード選択、及び色変換の各処理を行なう機構が、プリンタ１４に備わっている構成であってもよい。
【００９７】
（用語の説明）
以下、本明細書中に示した、主として色変換技術に関する略語や専門用語について、まとめて定義する。なお、明細書中に定義したものについても重複して示す。
「Ｐ（Perceptual）」→  ＩＣＣプロファイルのもつインテントのひとつ。知覚的Ｍａｐｐｉｎｇとして定義されている。
「Ｓ（Saturation）」→  ＩＣＣプロファイルのもつインテントのひとつ。彩度重視Ｍａｐｐｉｎｇとして定義されている。
「Ｃ（Colorimetric）」→  ＩＣＣプロファイルのもつインテントのひとつ。色差最小Ｍａｐｐｉｎｇとして定義されている。
「インテント」→  色変換を行う際のガミュート圧縮等のＭａｐｐｉｎｇ方針、パラメータを意味する。ＩＣＣプロファイル等では、複数のインテントを保持することが可能である。
「ＡｔｏＢ」→  デバイス依存の色空間（ＲＧＢ，ＣＭＹＫ等）からデバイス非依存の色空間（Ｌａｂ，ＸＹＺ等）への変換するパラメータ。通常、ＤＬＵＴで実現される。
「ＢｔｏＡ」→  デバイス非依存の色空間（Ｌａｂ，ＸＹＺ等）からデバイス依存の色空間（ＲＧＢ，ＣＭＹＫ等）への変換するパラメータ。通常、ＤＬＵＴで実現される。
「単Ｋ」→  Ｋ単色に表現された黒色
「ＰＫ」→  ＣＭＹＫの混色で表現された黒色
「ＤＬＵＴ」→  Ｄｉｒｅｃｔ  Ｌｏｏｋ−ｕｐ  ｔａｂｌｅ
【図面の簡単な説明】
【００９８】
【図１】第１の実施の形態に係るプリンタ及びクライアントＰＣを含むシステムの全体概略図である。
【図２】第１の実施の形態に係るシステムにおける機能的なつながりを示す。
【図３】第１の実施の形態に係るユーザーインターフェースを示し、（Ａ）は、検索（印刷）押下前、（Ｂ）は、検索（印刷）押下後を示す。
【図４】第１の実施の形態のプロファイル解析部及びプロファイル選択部における処理を示す。
【図５】（Ａ）は、第２の実施の形態に係るシステムにおける機能的なつながりを示し、（Ｂ）は、ディスティネーション（ＤＬＵＴ）の構成を示し、（Ｃ）は、データ変換の流れを示す。
【図６】第２の実施の形態に係るユーザーインターフェースを示し、（Ａ）は、検索（印刷）押下前、（Ｂ）は、検索（印刷）押下後を示す。
【図７】第２の実施の形態のプロファイル解析部及びプロファイル選択部における処理を示す。
【符号の説明】
【００９９】
１０   システム
１２   クライアントＰＣ
１４Ｂ、１４Ｃ、１４Ｄ      プリンタ（出力デバイス）
２４   シミュレーションプロファイル（ＢｔｏＡ）（基準色変換プロファイル）
２６   プロファイル解析部（解析手段）
２８   ディスティネーションプロファイル選択部（選択手段）
３０   プロファイル群
１０４ シミュレーションプロファイル（ＢｔｏＡ）（基準色変換プロファイル）
１０６ プロファイル解析部（解析手段）
１０８ ディスティネーションプロファイル選択部（選択手段）
１１０ ディスティネーション（Ｄｉｒｅｃｔ  Ｌｏｏｋ−ｕｐ  ｔａｂｌｅ）
１１２ ソースプロファイル（ＡｔｏＢ）
１１４ ガミュート圧縮部
１１６ ディスティネーションプロファイル（ＢｔｏＡ１）（色変換プロファイル）
【図１】
2007329841.tif 000005
【図２】
2007329841.tif 000006
【図３】
2007329841.tif 000007
【図４】
2007329841.tif 000008
【図５】
2007329841.tif 000009
【図６】
2007329841.tif 000010
【図７】
2007329841.tif 000011